【手続補正書】
【提出日】平成17年6月3日(2005.6.3)
【手続補正１】
【補正対象書類名】明細書
【補正対象項目名】発明の名称
【補正方法】変更
【補正の内容】
【発明の名称】送信機及び受信機
【手続補正２】
【補正対象書類名】明細書
【補正対象項目名】特許請求の範囲
【補正方法】変更
【補正の内容】
【特許請求の範囲】
【請求項１】
送信するデータに対し符号化を行う符号化部と、
前記符号化部で符号化される符号データを、受信するデータを復号する受信機において復調データとして復調されるデータである第１のデータと、前記受信機において所定の条件を満たすとき前記第１のデータと合わせて復調データとして出力されるデータである第２のデータと、に分ける処理部と、
前記第１のデータと前記第２のデータとを送信する送信部と、
を備える送信機。
【請求項２】
前記処理部は、前記符号データから所定の規則に基づき前記第２のデータを取り除くことで前記第１のデータを生成するパンクチャ処理を行う請求項１記載の送信機。
【請求項３】
前記処理部におけるパンクチャ処理のパンクチャ率と前記第２のデータを送信する変調方式とを、前記第２のデータを送信するのに用いられる回線の回線品質に応じて適応的に切替制御する請求項２記載の送信機。
【請求項４】
前記第２のデータは、前記第１のデータと共に送信される請求項１から請求項３までのいずれかに記載の送信機。
【請求項５】
前記所定の条件は、前記符号データが誤りを有するという条件である請求項１から請求項４までのいずれかに記載の送信機。
【請求項６】
前記第２のデータは、前記所定の条件を満たすとき、前記送信部により送信される請求項１から請求項５までのいずれかに記載の送信機。
【請求項７】
前記第２のデータは、前記送信部が送信に用いる回線のトラフィックが空いているときに送信される請求項１から請求項５までのいずれかに記載の送信機。
【請求項８】
さらに、前記受信機が受信する受信データの受信品質を抽出する受信品質情報抽出部を備え、
前記受信品質情報抽出部により抽出される前記データの受信品質に応じて前記第２のデータが前記送信部により送信される請求項１から請求項７までのいずれかに記載の送信機。
【請求項９】
前記受信品質情報抽出部は、前記受信機が受信する受信データの区間毎の平均受信信号強度情報を抽出し、
前記受信品質情報抽出部により抽出される前記データの平均受信信号強度情報の中で最も平均受信信号強度が弱い区間のデータが、前記第２のデータとして前記送信部により送信される請求項８記載の送信機。
【請求項１０】
前記受信品質情報抽出部は、前記受信機が受信する受信データの区間毎の搬送波電力対雑音電力比を抽出し、
前記受信品質情報抽出部により抽出される前記受信データの搬送波電力対雑音電力比の中で最も搬送波電力対雑音電力比が弱い区間のデータが、前記第２のデータとして前記送信部により送信される請求項８記載の送信機。
【請求項１１】
前記受信品質情報抽出部は、前記受信機が受信する受信データの区間毎の軟判定値に基づく尤度を抽出し、
前記受信品質情報抽出部により抽出される前記データの軟判定値に基づく尤度の中で最も軟判定値に基づく尤度が弱い区間のデータが、前記第２のデータとして前記送信部により送信される請求項８記載の送信機。
【請求項１２】
前記第１のデータは、主バーストで、
前記第２のデータは、主バーストと異なるバーストである副バーストで、前記送信部より送信される請求項１から請求項１１までのいずれかに記載の送信機。
【請求項１３】
前記第１のデータに行う変調の方式と、前記第２のデータに行う変調の方式とが異なる請求項１から請求項１２までのいずれかに記載の送信機。
【請求項１４】
送信するデータに対し符号化を行う符号化部と、
前記符号化部で符号化される符号データから、受信するデータを復号する受信機において所定の条件を満たすとき復調データとして出力されるデータの一部である第３のデータを抽出する部分再送処理部と、
前記第３のデータを送信する送信部と、
を備える送信機。
【請求項１５】
前記所定の条件は、前記符号データが誤りを有するという条件である請求項１４記載の送信機。
【請求項１６】
さらに、前記受信機が受信する受信データの受信品質を抽出する受信品質情報抽出部を備え、
前記受信品質情報抽出部により抽出される前記データの受信品質に応じて前記第３のデータが前記送信部により送信される請求項１４または請求項１５記載の送信機。
【請求項１７】
前記受信品質情報抽出部は、前記受信機が受信する受信データの区間毎の平均受信信号強度情報を抽出し、
前記受信品質情報抽出部により抽出される前記データの平均受信信号強度情報の中で最も平均受信信号強度が弱い区間のデータが、前記第３のデータとして前記送信部により送信される請求項１６記載の送信機。
【請求項１８】
前記受信品質情報抽出部は、前記受信機が受信する受信データの区間毎の搬送波電力対雑音電力比を抽出し、
前記受信品質情報抽出部により抽出される前記データの搬送波電力対雑音電力比の中で最も搬送波電力対雑音電力比が弱い区間のデータが、前記第３のデータとして前記送信部により送信される請求項１６記載の送信機。
【請求項１９】
前記受信品質情報抽出部は、前記受信機が受信する受信データの区間毎の軟判定値に基づく尤度を抽出し、
前記受信品質情報抽出部により抽出される前記データの軟判定値に基づく尤度の中で最も軟判定値に基づく尤度が弱い区間のデータが、前記第３のデータとして前記送信部により送信される請求項１６記載の送信機。
【請求項２０】
誤りやすいビットに割り当てられたデータが前記第３のデータとして送信部により送信される請求項１４から請求項１９までのいずれかに記載の送信機。
【請求項２１】
前記第３のデータは、バーストで前記送信部より送信される請求項１４から請求項２０までのいずれかに記載の送信機。
【請求項２２】
送信データに対し変調を行う変調部と、
受信するデータを復調する受信機で復調データとして出力される、前記変調部で変調されるデータである第４のデータを記憶する記憶部と、
前記第４のデータから、前記受信機において所定の条件を満たすとき前記第４のデータと合わせて復調データとして出力されるデータの一部である第５データを抽出する部分再送処理部と、
前記第４のデータと前記第５のデータとを送信する送信部と、
を備える送信機。
【請求項２３】
前記所定の条件は、前記符号データが誤りを有するという条件である請求項２２記載の送信機。
【請求項２４】
さらに、前記受信機が受信する受信データの受信品質を抽出する受信品質情報抽出部を備え、
前記受信品質情報抽出部により抽出される前記データの受信品質に応じて前記第５のデータが前記送信部により送信される請求項２２または請求項２３記載の送信機。
【請求項２５】
前記受信品質情報抽出部は、前記受信機が受信する受信データの区間毎の平均受信信号強度情報を抽出し、
前記受信品質情報抽出部により抽出される前記データの平均受信信号強度情報の中で最も平均受信信号強度が弱い区間のデータが、前記第５のデータとして前記送信部により送信される請求項２４記載の送信機。
【請求項２６】
前記受信品質情報抽出部は、前記受信機が受信する受信データの区間毎の搬送波電力対雑音電力比を抽出し、
前記受信品質情報抽出部により抽出される前記データの搬送波電力対雑音電力比の中で最も搬送波電力対雑音電力比が弱い区間のデータが、前記第５のデータとして前記送信部により送信される請求項２４記載の送信機。
【請求項２７】
前記受信品質情報抽出部は、前記受信機が受信する受信データの区間毎の軟判定値に基づく尤度を抽出し、
前記受信品質情報抽出部により抽出される前記データの軟判定値に基づく尤度の中で最も軟判定値に基づく尤度が弱い区間のデータが、前記第５のデータとして前記送信部により送信される請求項２４記載の送信機。
【請求項２８】
誤りやすいビットに割り当てられたデータが前記第５のデータとして送信部により送信される請求項２２から請求項２７までのいずれかに記載の送信機。
【請求項２９】
前記送信部は、周波数ホッピング方式で前記第４のデータを送信する請求項２２から請求項２８までのいずれかに記載の送信機。
【請求項３０】
前記第４のデータは、主バーストで、
前記第５データは、主バーストと異なるバーストである副バーストで、送信される請求項２２から請求項２９までのいずれかに記載の送信機。
【請求項３１】
前記第４のデータに行う変調の方式と、前記第５のデータに行う変調の方式とが異なる請求項２２から請求項３０までのいずれかに記載の送信機。
【請求項３２】
主バーストで送信される第６のデータと前記主バーストと異なるバーストである副バーストで送信される第７のデータとを受信する受信部と、
前記受信部で受信するデータに誤りがあるか否かを前記受信部で受信するデータを復号することにより検出するチャネル復号化部と、
前記チャネル復号化部による、前記第６のデータの誤り検出結果に基づき、前記チャネル復号化部で復号される前記第６のデータと前記第７のデータとを、復号データとして出力するか否かを決定する受信成否判定部と、
を備える受信機。
【請求項３３】
前記受信成否判定部の判定結果に基づき、前記第６のデータと前記第７のデータとを合成する合成処理部を備える請求項３２記載の受信機。
【請求項３４】
前記受信成否判定部が、前記チャネル復号化部で復号された第６のデータを出力することを決定するとき、前記チャネル復号化部で復号された第６のデータが復号データとして出力され、
前記受信成否判定部が、前記受信部で受信される第６のデータと第７のデータとを復号して出力することを決定するとき、前記合成処理部により合成される前記第６のデータと前記第７のデータとが前記チャネル復号化部により復号化され復号データとして出力される請求項３３記載の受信機。
【請求項３５】
さらに、前記受信データの区間毎の平均受信信号強度情報を推定する局所受信品質推定部を備え、
前記局所受信品質推定部により推定される前記データの平均受信信号強度情報の中で最も平均受信信号強度が弱い区間のデータを、第７のデータとして受信する請求項３２から請求項３４までのいずれかに記載の受信機。
【請求項３６】
送信するデータに対し多値変調を行う変調部と、
前記多値変調部で多値変調される送信データから、多値変調信号を受信する受信機において前記送信データが誤りを有するとき前記送信データと合わせて前記受信機における復調処理に用いられるデータの一部である第８のデータを抽出する部分再送処理部と、
前記第８のデータを送信する送信部と、
を備える送信機。
【請求項３７】
送信するデータに対し符号化を行う符号化部と、
前記符号化部で符号化される符号データを、受信するデータを復号する受信機において復号処理に用いられるデータである第９のデータと、前記受信機において前記符号データが誤りを有するとき前記第９のデータと合わせて復号処理に用いられるデータである第１０のデータと、に分ける処理部と、
前記第９のデータと前記第１０のデータとを送信する送信部と、
を備える送信機。